(57)【特許請求の範囲】
【請求項１】
電線保守作業を行う場合に使用する複数の長尺物品を吊り上げる長尺物品吊上袋であって、
前記複数の長尺物品の上部を、前記複数の長尺物品のそれぞれが自在に上下に移動可能なように、保持する中空円筒形を形成する上部袋と、
前記複数の長尺物品の下部の保持が充分に確保可能な高さを有し、底を有する下部袋であって前記複数の長尺物品の下部の保持と前記複数の長尺物品のそれぞれを上方向へ抜き出し可能とする中空円筒形を形成する下部袋と、
前記上部袋と前記下部袋との間に空間を設け、該空間から前記複数の長尺物品のそれぞれを抜き出すことが可能なように前記上部袋と前記下部袋とを繋ぐ繋ぎ部材と、を備えることを特徴とする長尺物品吊上袋。
【請求項２】
請求項１記載の長尺物品吊上袋において、
前記繋ぎ部材は、前記上部袋と前記下部袋との間の長さを調整可能とする機構を有することを特徴とする長尺物品吊上袋。
【請求項３】
請求項１または２記載の長尺物品吊上袋において、
前記複数の長尺物品を複数の長尺物品郡に仕切る間仕切りであって前記下部袋の内側を仕切る間仕切を有することを特徴とする長尺物品吊上袋。
【発明の詳細な説明】
【技術分野】
【０００１】
本発明は、電線の保守作業を行う場合に使用する複数の長尺物品を収納した収納袋から長尺物品を抜き出す際に、抜き出そうとした長尺物品が、電線に接触することを防止できる、長尺物品吊上袋に関する。
【背景技術】
【０００２】
図１６に示すように、従来、電線７２０に電線防護管７１０を設置する場合は、長尺物品である電線防護管７１０を防護管袋７１１に収納し、吊具７１２により、防護管袋７１１を吊上げて、電線７２０近くの作業位置まで持ち上げ、防護管袋７１１から電線防護管７１０を取り出し、電線７２０に設置していた。
【０００３】
ところが、防護管袋７１１は全体が一体の長い筒状で、電線防護管７１０を防護管袋７１１から取り出す時には、防護管袋７１１から電線防護管７１０全体が防護管袋７１１上部から出るまで上方向Ｘ１０へ大きく抜き出す必要がある。また、抜き出し作業の場所の上部には電線７２０が設置されており、電線防護管７１０が電線７２０に接触する恐れがあった。
【発明の開示】
【発明が解決しようとする課題】
【０００４】
本発明は、電線の保守作業を行う場合に使用する複数の長尺物品を収納した収納袋から長尺物品を抜き出す際に、抜き出そうとした長尺物品が電線に接触するのを防止できる長尺物品吊上袋の提供を目的とする。
【課題を解決するための手段】
【０００５】
以上の目的を達成するために、本発明は、以下のような長尺物品吊上袋を提供する。
【０００６】
（１）  電線保守作業を行う場合に使用する複数の長尺物品を吊り上げる長尺物品吊上袋であって、前記複数の長尺物品の上部を、前記複数の長尺物品のそれぞれが自在に上下に移動可能なように、保持する中空円筒形を形成する上部袋と、前記複数の長尺物品の下部の保持が充分に確保可能な高さを有し、底を有する下部袋であって前記複数の長尺物品の下部の保持と前記複数の長尺物品のそれぞれを上方向へ抜き出し可能とする中空円筒形を形成する下部袋と、前記上部袋と前記下部袋との間に空間を設け、該空間から前記複数の長尺物品のそれぞれを抜き出すことが可能なように前記上部袋と前記下部袋とを繋ぐ繋ぎ部材と、を備えることを特徴とする長尺物品吊上袋。
【０００７】
（１）に記載の発明によれば、前記長尺物品吊上袋は、複数の長尺物品の上部が自在に上下移動可能な中空円筒形を形成する前記上部袋と、複数の長尺物品の下部の保持と複数の長尺物品の上方向への抜き出しを可能とする中空円筒形を形成する前記下部袋と、を備える。また、前記収納袋の上部と下部の間の筒状の胴部に空間を設け、その設けた空間と、前記上部袋と、前記下部袋と、の構成により長尺物品の空間から長尺物品の抜き出しを可能としたことにより、前記長尺物品を取り出す時の前記収納袋からの抜き取り代を少なくし長尺物品を抜き出す際、大きく上へ抜き出す必要がなくなり、作業場所上部の電線に抜き出そうとする長尺物品が接触することを防止できる。
【０００８】
（２）  （１）記載の長尺物品吊上袋において、前記繋ぎ部材は、前記上部袋と前記下部袋との間の長さを調整可能とする機構を有することを特徴とする長尺物品吊上袋。
【０００９】
（２）に記載の発明によれば、前記上部袋と前記下部袋の間の空間の長さを調整できることにより、前記長尺物品吊上袋に収納する長尺物品の長さに応じた、適切な前記上部袋と前記下部袋の間の空間の長さの設定が可能となる。下部袋と上部袋を繋ぐ繋ぎ部材は、たとえば、非電導性部材のロープと、ベルトと、巻取ドラムと、吊金具と、中間袋と、を使用することができる。
【００１０】
（３）  （１）または（２）記載の長尺物品吊上袋において、前記複数の長尺物品を複数の長尺物品郡に仕切る間仕切りであって前記下部袋の内側を仕切る間仕切を有することを特徴とする長尺物品吊上袋。
【００１１】
（３）に記載の発明によれば、前記下部袋の内側に間仕切を設置することにより、前記下部袋内に収納される前記長尺物品の下部同士の干渉が少なくなり、収納した前記長尺物品を取り出す時の前記長尺物品の下部の引っ掛かりを防止することができる。
【発明の効果】
【００１２】
本発明によれば、電線の保守作業を行う場合に長尺物品を収納した長尺物品吊上袋から長尺物品を抜き出す際、抜き出そうとする長尺物品が、電線に接触することを防止できる。
【発明を実施するための最良の形態】
【００１３】
以下、本発明の実施形態について図面に基づいて説明する。
図１は、本発明に係る上部袋と下部袋を繋ぐ繋ぎ部材として中間ロープを使用し、電線防護管のような長尺物品を抜き出す時の防護管袋からの抜き出し量を少なくし、高所作業場所近傍の電線に電線防護管のような長尺物品が接触することを防止できる、長尺物品吊上袋の実施形態を示す斜視図である。
図２は、図１で記載をしている、吊上ロープの上部袋の取り付け部と、中間ロープの上部袋の取り付け部を示す斜視図である。
図３は、図１で記載をしている、中間ロープの下部袋の取り付け部を示す斜視図である。
図４は、図１の長尺物品吊上袋の使用例を示す斜視図である。
図５は、図１で記載の中間ロープに変えて、上部袋と下部袋をベルトにより繋ぐことにより、長尺物品吊上袋の長さを調整することができる、長尺物品吊上袋の実施形態を示す斜視図である。
図６は図５で記載をしている、上部袋と下部袋を繋ぐベルトを結ぶベルト金具の詳細斜視図である。
図７は、図１での中間ロープに変えて、上部袋と下部袋を巻取ドラムにより繋ぐことにより、長尺物品吊上袋の長さを調整することができる、長尺物品吊上袋の実施形態を示す斜視図である。
図８は図７で記載をしている、巻取ドラムの詳細斜視図である。
図９は、図７で記載をしている、吊下用ワイヤーと、下部袋の取り付け部を示す斜視図である。
図１０は図１での中間ロープに変えて、上部袋と下部袋を吊金具により繋ぐことにより、長尺物品吊上袋の長さを調整することができる、長尺物品吊上袋の実施形態を示す斜視図である。
図１１は図１０で記載をしている、吊上ロープの上部袋の取り付け部を示す斜視図である。
図１２は図１０で記載をしている、上部袋と下部袋を下部ロープで繋ぐ、吊金具の詳細斜視図である。
図１３は、図１０で記載をしている、下部ロープと下部袋の取り付け部を示す斜視図である。
図１４は、図１での中間ロープに変えて、繋ぎ部材を中間袋にした長尺物品吊上袋の実施形態を示す斜視図である。
図１５は、図１４で記載をしている、回転ドラムの詳細斜視図である。
図１６は、図１４で記載をしている、中間袋の部分斜視図及び断面図である。
図１７は、図１４で記載をしている、吊上ロープの下部袋への取り付け部を示す斜視図及び断面図である。
図１８は、図１と、図５と、図７と、図１０と、図１４と、で記載をしている下部袋に間仕切りを設置することにより、下部袋内に収納される、電線防護管のような長尺物品同士の干渉が少なくなり、収納される長尺物品を取り出す時の長尺物品下部の引っ掛かりを防止することができる長尺物品吊上袋の実施形態を示す斜視図である。
図１９は図１８で記載をしている、下部袋の間仕切りの詳細斜視図である。
【００１４】
図１に示すように、長尺物品吊上袋１は、上部袋１１と、下部袋１２と、繋ぎ部材である複数の中間ロープ１６とを備える。複数の中間ロープ１６は、上部袋１１と下部袋１２とを繋ぐ繋ぎ部材として作用する。さらに長尺物品吊上袋１は上部袋１１を吊上げる吊上ロープ１５を備える。複数の中間ロープ１６のそれぞれは、この一方及び他方にそれぞれ係止手段１１６及び１１８が形成されている。
【００１５】
上部袋１１は、上部及び下部が開口している中空円筒形を形成している。上部袋１１は、帆布製のような非電導性部材で形成されていることが好ましい。上部袋１１の上部袋径ｄは、作業に必要な複数の長尺物品（例えば、図４に示す電線防護管１４）の保持が充分に確保可能な開口径を有し、好ましくは、約６０ｃｍである。上部袋１１の上部袋高ｈは、作業に必要な複数の長尺物品の保持が充分に確保可能な高さを有し、好ましくは、約３５ｃｍである。
【００１６】
上部袋１１の上部には、金属性の円環１１７が備えられている。円環１１７には、吊上ロープ１５の両端にそれぞれ形成された係止手段１２０が係止する。円環１１７は、例えば、吊上げる電線防護管１４のような長尺物品による荷重に充分耐え得る円環径を有する。円環１１７は、作業に必要な複数の長尺物品の保持が充分に確保できる開口径を有している。円環１１７の開口径は好ましくは約６０ｃｍである。
【００１７】
上部袋１１の上端には、クレーンのフック１３で吊上ロープ１５を吊上げる際に安定して吊上げ可能なように円環１１７の円周距離に対して均等になるように設置する二つの穴部１１９が形成される。
【００１８】
上部袋１１の下端には金属製の円環１１７が形成されている。また、上部袋１１の下端には、円環１１７の円周距離に対して均等になるように係止手段１１６を通す三つの穴部１１５を備える。穴部１１５が円環１１７の円周距離に対して均等になる位置に形成されているので、上部袋１１の下端に下部袋１２を吊り下げても、安定して下部袋１２を吊り下げることができる。
【００１９】
より具体的には、図２に示すように、上部袋１１に係合される吊上ロープ１５は、上部袋１１の上部の穴部１１９を介し、係止手段１２０により、上部袋１１の上端の円環１１７に係合されている。同様に、上部袋１１に係合される中間ロープ１６は、上部袋１１の下部の穴部１１５を介し、係止手段１１６により、上部袋１１の下端の円環１１７に係合されている。
【００２０】
図１に示すように、下部袋１２は、底１７を備えた中空円筒形を形成する。下部袋１２は、非電導性部材、例えば帆布製で形成されていることが好ましい。下部袋１２の下部袋径Ｄは、作業に必要な複数の長尺物品の保持が充分に確保可能な開口径を有し、好ましくは、約６０ｃｍである。下部袋１２の下部袋高Ｈは、作業に必要な複数の長尺物品の保持が充分に確保可能な高さを有し、約４０ｃｍから５０ｃｍの範囲内にあることが好ましい。
【００２１】
下部袋１２の上端には、中間ロープ１６の係止手段１１８が係止する金属性の円環１２４が形成されている。円環１２４は、吊上げる電線防護管１４のような長尺物品による荷重に充分耐え得る円環径を有する。
【００２２】
円環１２４は、作業に必要な複数の長尺物品の保持が充分に確保できる開口径を有する。円環１２４の開口径は好ましくは約６０ｃｍである。
【００２３】
下部袋１２には、下部袋１２が中間ロープ１６によって安定して吊り下げられるように、円環１２４の円周距離に対して均等となる位置に係止手段１１８が係止される三つの穴部１２３が形成されている。
【００２４】
図３に示すように、下部袋１２に係合される中間ロープ１６は、下部袋１２の上部の穴部１２３を介し、係止手段１１８により、下部袋１２の上端の円環１２４に係合されている。
【００２５】
以上の長尺物品吊上袋１は、以下のようにして用いられる。
【００２６】
図４（ａ）に示すように、まず、長尺物品吊上袋１に収納された、電線防護管１４のような長尺物品を下部袋１２から下部袋高Ｈを越す分だけ上方向Ｘ１へ抜き出す。
【００２７】
長尺物品を下部袋１２から抜き出す高さは、下部袋高Ｈ分を少し越すだけでよく、従来の抜き出し高さが収納袋全長分の抜き出し高さが必要なことと比べて長尺物品が上部袋から抜き出す高さを大幅に少なくできる。
【００２８】
つぎに、図４（ｂ）に示すように、電線防護管１４のような長尺物品を下部袋１２から下方向Ｘ２へ抜き出し、上部袋１１から電線防護管１４のような長尺物品の上部を抜き取る。
【００２９】
最後に、図４（ｃ）に示すように、電線防護管１４のような長尺物品を上方向Ｘ３へ引き抜けば、電線防護管１４のような長尺物品は、長尺物品吊上袋１からの取り出しが可能となる。
【００３０】
図５に示すように、長尺物品吊上袋２は長尺物品吊上袋１と同じ上部袋２1と、下部袋２２とを備える。さらに、長尺物品吊上袋２は吊上ロープ２５を備える。
【００３１】
長尺物品吊上袋２は、上部袋２１と下部袋２２とを繋ぐ繋ぎ部材として、３つのベルト２３を備える。３つのベルト２３のそれぞれは、上部袋２１に設置された上部ベルト２３１と、下部袋２２に設置された下部ベルト２３２と、調節バックル２３３と、を備える。
【００３２】
３つの上部ベルト２３１は、それぞれ、下部袋２２を安定して吊り下げられるように上部袋２１の円周距離に対して上部袋２１の下部外側面に均等になるように形成された三本の帯状で形成されている。
【００３３】
下部ベルト２３２は、下部袋２２の円周距離に対して下部袋２２の上部外側面に均等になるように形成されている。上部ベルト２３１及び下部ベルト２３２は、いずれも、化学繊維で織られていることが好ましい。
【００３４】
図６に示すように、調節バックル２３３は、方形環状に形成された金属性のベルト金具輪２３４と、下部ベルト２３２の上端が縫合されベルト金具輪２３４の縦方向自在に動くように遊挿状態で挿入されている金属性のベルト金具軸２３５と、を備える。
【００３５】
上部袋２１と下部袋２２を繋ぐ場合は、上部ベルト２３１の自由端の舌状側２３６をベルト金具輪２３４のａ方向に通し、更にベルト金具軸２３５を乗り越え、ｂ方向に通す。
【００３６】
ベルト長２３ｄが、長尺物品吊上袋に長尺物品を収納する際に、収納する長尺物品に適切な長さになった状態で、ベルト金具軸２３５を下部に押し下げ固定する。
【００３７】
以上の操作により、長尺物品吊上袋２の、上部袋２１と下部袋２２の間の長さであるベルト長ｌの調整と固定が可能となる。
【００３８】
図７に示すように、長尺物品吊上袋３は、前記長尺物品吊上袋１と同じ上部袋３1と、下部袋３２を備える。さらに、長尺物品吊上袋３は吊上ロープ３５を備える。
【００３９】
長尺物品吊上袋３は、上部袋３1と下部袋３２を繋ぐ繋ぎ部材として、３つの巻取ドラム３４を備える。上部袋３１は、吊上げる長尺物品による荷重に充分耐え得る厚さを有する非電導性部材、例えば塩化ビニル樹脂で形成されていることが好ましい。
【００４０】
３つの巻取ドラム３４のそれぞれは、下部袋３２を安定して吊り下げられるように上部袋３１の円周距離に対して、上部袋３１の下部内側面に均等になるように設置される。
【００４１】
巻取ドラム３４は、上部袋３１の内側かつ下部に取り付けられている。巻取ドラム３４は吊下用ワイヤー３４１を巻き取るためのドラム本体を備えている。巻取ドラム３４は、吊下用ワイヤー３４１で吊り下げる荷重により発生する応力に充分耐え得る直径を有する鋼製で円筒状のドラム３４３と、ドラム３４３の両端に鋼製のフランジ３４８と、を備える。
【００４２】
巻取ドラム３４は、Ｌ型板状のドラム取付金具３４４と、ドラム３４３の中心に設置された回転軸３４５と、を備える。なお、Ｌ型板状のドラム取付金具３４４は吊り下げる荷重により発生する応力に充分耐え得る厚さを有する非電導性部材、例えば塩化ビニル樹脂で形成されていることが好ましい。
【００４３】
巻取ドラム３４は、下部袋３２を吊り下げる吊下用ワイヤー３４１と、ドラム取付金具３４４を巻取ドラム３４で吊り下げる荷重により発生する応力に充分耐え得る直径を有する鋼製のボルト３４７と、鋼製のナット３４９と、を備える。
【００４４】
巻取ドラム３４は、ボルト３４７を設置する穴部３４６と下部袋３２を係合する係止手段３４２を備える。
【００４５】
ドラム取付金具３４４は、Ｌ型の上部袋３１側面設置側に穴部３４６を形成し、この穴部３４６を介しボルト３４７とナット３４９で上部袋３１に螺合されている。
【００４６】
なお、巻取ドラム３４は、常に、下部袋３２を巻き上げる程度の回転力を巻取ドラムに作用させる巻取機構を備えている。具体的には、巻取ドラム３４は、回転自在で吊下用ワイヤー３４１を巻き付けて収納するコードリールと、コードリールの回転中心に配される回転軸３４５と、吊下用ワイヤー３４１を巻き取る方向に付勢するゼンマイバネとを備えている。これにより、巻取ドラム３４は、巻き取り機構を有し、吊下用ワイヤー３４１の巻き取りを可能とする。
【００４７】
下部袋３２の上部には、吊下用ワイヤー３４１により安定して下部袋が吊り下げ可能なように係止手段３２１が設置できるように円環３２４の円周距離に対して均等になるように３つの穴部３２２が形成される。
【００４８】
図９に示すように、吊下用ワイヤー３４１は、係止手段３２１を介して下部袋３２の上部に係合されている。より具体的には、吊下用ワイヤー３４１の下端部には、係止手段３２１と係合可能なリング状の係止手段３４２を形成している。下部袋３２の上部には、穴部３２２が形成されており、下部袋３２の上部から円環３２４の一部が露出している。この円環３２４の一部に係合した係止手段３２１が、吊下用ワイヤー３４１の下端部に形成された係止手段３４２に係合されている。
【００４９】
図１０に示すように、長尺物品吊上袋４は前記長尺物品吊上袋１と同じ上部袋４１と、下部袋４２とを備える。さらに、長尺物品吊上袋４は、吊上ロープ４５を備える。長尺物品吊上袋４は、上部袋４1と下部袋４２を繋ぐ繋ぎ部材として、吊金具４４を備える。
【００５０】
上部袋４1には、係止手段４４３で安定して下部袋４２が吊り下げ可能なように係止手段４４３が設置できるように円環４２５の円周距離に対して均等になるように三つの穴部４４４が形成される。
【００５１】
図１１に示すように、吊上ロープ４５は、係止手段４１３と設置用穴４１５とを介して吊金具４４に係合される。
【００５２】
図１２に示すように、吊金具４４は、上部袋４１に設置された係止手段４４３と、吊金具環４４１と、を備える。吊金具４４は、方形環状に形成された金属性の吊金具環４４１と吊金具環４４１の長手方向に自在に動くように遊挿状態で挿入されている金属性の吊金具軸４４２を備える。
【００５３】
上部袋４１と下部袋４２を繋ぐ場合は、下部ロープ４２１の自由端を吊金具環４４１のａ方向に通し、更に吊金具軸４４２をｂ方向に乗り越え、さらに、吊金具環４４１の下をｃ方向に通す。
【００５４】
さらに、吊金具軸４４２の下ｄ方向に通し、吊金具環４４１を乗り越え通す。長尺物品吊上袋４に長尺物品を収納する際に、ロープ長ｌが収納する長尺物品に対して適切な長さになった状態で、吊金具軸４４２を下部ｅ方向に押し下げ下部ロープ４２１を固定する。
【００５５】
図１３に示すように、下部ロープ４２１は、下部ロープ４２１下端の係止手段４２３設置用穴部４２４を介し、上部袋４１の吊金具４４に係合される
【００５６】
以上の操作により、長尺物品吊上袋４の、上部袋４１と下部袋４２の間の長さであるロープ長ｌの調整と固定が可能となる。
【００５７】
図１４に示すように、長尺物品吊上袋５は、前記長尺物品吊上袋１と同じ上部袋５1と、下部袋５２を備える。さらに、長尺物品吊上袋５は吊上ロープ４５を備える。
【００５８】
長尺物品吊上袋５は、上部袋５１と下部袋５２とを繋ぐ繋ぎ部材として、中間袋５７を備える。
【００５９】
長尺物品吊上袋５は、３つの回転ドラム５４を備える。上部袋５１は、吊上げる長尺物品による荷重に充分耐え得る厚さを有する非電導性部材、例えば塩化ビニル樹脂で形成されていることが好ましい。
【００６０】
３つの回転ドラム５４のそれぞれは、下部袋５２を安定して吊り下げられるように上部袋５１の円周距離に対して、上部袋５１の下部内側面に均等になるように設置される。
【００６１】
図１５に示すように、回転ドラム５４は、上部袋５１の内側かつ下部に取り付けられている。回転ドラム５４は吊下ワイヤー５４１を回転支持するドラム本体を備えている。回転ドラム５４は、吊下ワイヤー５４１で吊り下げる荷重により発生する応力に充分耐え得る直径を有する鋼製で円筒状のドラム５４３と、ドラム５４３の両端に鋼製のフランジ５４８と、を備える。
【００６２】
回転ドラム５４は、Ｌ型板状のドラム取付金具５４４と、ドラム５４３の中心に設置された回転軸５４５と、を備える。なお、Ｌ型板状のドラム取付金具５４４は吊り下げる荷重により発生する応力に充分耐え得る厚さを有する非電導性部材、例えば塩化ビニル樹脂で形成されていることが好ましい。
【００６３】
回転ドラム５４は、下部袋５２を吊り下げる吊下ワイヤー５４１と、ドラム取付金具５４４を回転ドラム５４で吊り下げる荷重により発生する応力に充分耐え得る直径を有する鋼製のボルト５４７と、鋼製のナット５４９と、を備える。
【００６４】
回転ドラム５４は、ボルト５４７を設置する穴部５４６と中間袋５７を係合する係止手段５４２を備える。
【００６５】
ドラム取付金具５４４は、Ｌ型の上部袋５１側面設置側に穴部５４６を形成し、この穴部５４６を介しボルト５４７とナット５４９で上部袋５１に螺合されている。
【００６６】
図１６に示すように、中間袋５７は、吊下ワイヤー５４１を係止する穴部５３３と、５３１と、５３２と、吊下ワイヤー５４１を中間袋５７に固定するＵボルト５６と、Ｕボルト５６を通す穴部５３３と、５３４と、Ｕボルト５６を中間袋５７に螺合するナット５６１と、５６２と、を備える。
【００６７】
中間袋５７は、上部袋５１と下部袋５２との間に設置され、収納される複数の長尺物品の長尺物品吊上袋５の側面からの落下を防止する。中間袋５７の開口径は、作業に必要な複数の長尺物品の保持が充分に確保可能な開口径を有し、上部袋５１の上部袋径ｄと同じく約６０ｃｍが好ましい。
【００６８】
なお、中間袋５７は、穴部５３１と５３２とに、吊下ワイヤー５４１が通され、この吊下ワイヤー５４１の中間袋５７への固定位置により中間袋５７と上部袋５１との間のロープ長ｌ１及び中間袋５７と上部袋５１との間のロープ長ｌ２の調整が可能となる。
【００６９】
図１７に示すように、下部袋５２の上部には、吊下ワイヤー５４１により安定して下部袋が吊り下げ可能なように吊下ワイヤー５４１が設置できるように円環５２４の円周距離に対して均等になるように３つの穴部５２２が形成される。
【００７０】
吊下ワイヤー５４１は、Ｕボルト５５と、ワイヤー止金具５５０とを介して下部袋５２の上部に係合されている。より具体的には、吊下ワイヤー５４１の下端部には、ワイヤー止金具５５０が形成され、ワイヤー止金具５５０の両端にはＵボルト５５用穴部５５２、５５２が形成され、Ｕボルト５５にナット５５１、５５１により螺合されることにより吊下ワイヤー５４１がＵボルト５５とワイヤー止金具５５０の間に挟み込まれ固定される。下部袋５２の上部には、穴部５２２が形成されており、下部袋５２の上部から円環５２４の一部が露出している。この円環５２４の一部に吊下用ワイヤー３４１が係合されている。
【００７１】
吊下ワイヤー５４１は、Ｕボルト５５と、ワイヤー止金具５５０とを介して下部袋５２の上部に係合されているため、Ｕボルト５５を螺合しているナット５５１、５５１を緩めて吊下ワイヤー５４１のＵボルト５５による固定位置を変え、再度Ｕボルト５５をナット５５１、５５１により螺合、固定することにより、長尺物品吊上袋５の上部袋５１と下部袋５２との間の長さであるロープ長Ｌの長さ調整が可能となる。
【００７２】
図１８に示すように、長尺物品吊上袋６は、前記長尺物品吊上袋１から長尺物品吊上袋５までの実施形態の下部袋１２と、下部袋２２と、下部袋３２と、下部袋４２と、下部袋５２と、に帆布製の間仕切６１を備える。
【００７３】
図１９に示すように、間仕切６１は、下部袋１２と、下部袋２２と、下部袋３２と、下部袋４２と、下部袋５２と、の円環１２４と、円環３２４と、円環４２５と、円環５２４と、のそれぞれの円周距離に対して均等になるように、三つの仕切り空間を形成している。これにより、間仕切６１は、長尺物品吊上袋に電線防護管１４のような長尺物品を収納する時、下部袋１２、２２、３２、４２、５２の内で長尺物品が数均等に収納できるようにしている。
【００７４】
間仕切６１は、間仕切６１１と、間仕切６１２と、間仕切６１３とを有し、下部袋１２と、下部袋２２と、下部袋３２と、下部袋４２と、下部袋５２と、の内側面に壁状に互いの収納物が分離できるように縫合される。なお、間仕切６１の部材は非電導性部材、例えば帆布製が好ましい。
【００７５】
間仕切６１の形成により、長尺物品吊上袋の下部袋１２と、下部袋２２と、下部袋３２と、下部袋４２と、下部袋５２と、の中に電線防護管１４のような長尺物品を数均等に分割して収納することが可能となり、電線防護管１４のような長尺物品を長尺物品吊上袋から引き抜く時に引き抜こうとする長尺物品下部の他の長尺物品下部への引っ掛かり干渉の防止が可能となる。
【００７６】
以上本発明の実施形態を説明したが、上部袋と下部袋の部材の材質、繋ぎ部材の種類、長さ調整部材の具体例を例示したに過ぎず、特に本発明を限定しない。また、本発明の実施形態に記載された効果は、本発明から生じる最も好適な効果を列挙したに過ぎず、本発明による効果は、本発明の実施形態に記載された効果に限定されない。
【図面の簡単な説明】
【００７７】
【図１】本発明に係る長尺物品吊上袋の上部袋と下部袋を繋ぐ繋ぎ部材に中間ロープを使用した長尺物品吊上袋１の実施形態を示す斜視図である。
【図２】本発明に係る図１で記載をしている、吊上ロープ及び中間ロープの上部袋への取り付け部を示す斜視図である。
【図３】本発明に係る図１で記載をしている、中間ロープの下部袋の取り付け部を示す斜視図である。
【図４】本発明に係る図１の長尺物品吊上袋の使用例を示す斜視図である。
【図５】本発明に係る図１での中間ロープに変えて、繋ぎ部材をベルトにした長尺物品吊上袋の実施形態を示す斜視図である。
【図６】本発明に係る図５で記載をしている、上部袋と下部袋を繋ぐベルトを結ぶベルト金具の詳細斜視図である。
【図７】本発明に係る図１での中間ロープに変えて、繋ぎ部材を巻取ドラムにした長尺物品吊上袋の実施形態を示す斜視図である。
【図８】本発明に係る図７で記載をしている、巻取ドラムの詳細斜視図である。
【図９】本発明に係る図７で記載をしている、吊下用ワイヤーの下部袋の取り付け部を示す斜視図である。
【図１０】本発明に係る図１での中間ロープに変えて、繋ぎ部材を吊金具にした長尺物品吊上袋の実施形態を示す斜視図である。
【図１１】本発明に係る図１０で記載をしている、吊上ロープの上部袋への取り付け部を示す斜視図である。
【図１２】本発明に係る図１０で記載をしている、吊金具の詳細斜視図である。
【図１３】本発明に係る図１０で記載をしている、下部ロープの下部袋への取り付け部を示す斜視図である。
【図１４】本発明に係る図１での中間ロープに変えて、繋ぎ部材を中間袋にした長尺物品吊上袋の実施形態を示す斜視図である。
【図１５】本発明に係る図１４で記載をしている、回転ドラムの詳細斜視図である。
【図１６】本発明に係る図１４で記載をしている、中間袋の部分斜視図及び断面図である。
【図１７】本発明に係る図１４で記載をしている、吊上ロープの下部袋への取り付け部を示す斜視図及び断面図である。
【図１８】本発明に係る図１と、図５と、図７と、図１０と、図１４で記載をしている下部袋に、間仕切りを設置した長尺物品吊上袋の実施形態を示す斜視図である。
【図１９】本発明に係る図１８で記載をしている、下部袋の間仕切りの詳細斜視図である。
【図２０】本発明に係る従来技術を説明する斜視図である。
【符号の説明】
【００７８】
１                        長尺物品吊上袋１
１１                上部袋
１１５      穴部
１１６      係止手段
１１７      円環
１１８      係止手段
１１９      穴部
１２                下部袋
１２０      係止手段
１２３      穴部
１２４      円環
１３                フック
１４                電線防護管
１５                吊上ロープ
１６                中間ロープ
１７                底
２                        長尺物品吊上袋２
２１                上部袋
２１３      円環
２１４      係止手段
２１５      穴部
２２                下部袋
２３                ベルト
２５                吊上ロープ
２３１      上部ベルト
２３２      下部ベルト
２３３      調節バックル
２３４      ベルト金具輪
２３５      ベルト金具軸
２３６      自由端の舌状側
３                        長尺物品吊上袋３
３１                上部袋
３１１      円環
３１３      係止手段
３１４      穴部
３２                下部袋
３２１      係止手段
３２２      穴部
３２４      円環
３３                フック
３４                巻取ドラム
３４１      吊下ワイヤー
３４２      係止手段
３４３      ドラム
３４４      ドラム取付金具
３４５      回転軸
３４６      穴部
３４７      ボルト
３４８      フランジ
３４９      ナット
３５                吊上ロープ
４                        長尺物品吊上袋４
４１                上部袋
４１３      係止手段
４１５      穴部
４１６      円環
４２                下部袋
４２１      下部ロープ
４２４      穴部
４２５      円環
４３                フック
４４                吊金具
４５                吊上ロープ
４４１      吊金具環
４４２      吊金具軸
４４３      係止手段
４４４      穴部
５                        長尺物品吊上袋５
５１                上部袋
５２                下部袋
５２２      穴部
５２４      円環
５３                フック
５３１      穴部
５３２      穴部
５３３      穴部
５３４      穴部
５４                回転ドラム
５５                Ｕボルト
５５０      ワイヤー止金具
５５１      ナット
５５２      穴部
５６                Ｕボルト
５６１      ナット
５６２      ナット
５７                中間袋
５４１      吊下ワイヤー
５４２      係止手段
５４３      ドラム
５４４      ドラム取付金具
５４５      回転軸
５４６      穴部
５４７      ボルト
５４８      フランジ
５４９      ナット
６                        長尺物品吊上袋６
６１                間仕切
６１１      間仕切
６１２      間仕切
６１３      間仕切
７１０      電線防護管
７１１      防護管袋
７１２      吊具
７２０      電線
ｄ                        上部袋径
ｈ                        上部袋高
ｌ                        ロープ長
ｌ１                      ロープ長
ｌ２                      ロープ長
Ｄ                        下部袋径
Ｈ                        下部袋高
Ｌ                        ロープ長
【図１】
0005100289.tif 000002
【図２】
0005100289.tif 000003
【図３】
0005100289.tif 000004
【図４】
0005100289.tif 000005
【図５】
0005100289.tif 000006
【図６】
0005100289.tif 000007
【図７】
0005100289.tif 000008
【図８】
0005100289.tif 000009
【図９】
0005100289.tif 000010
【図１０】
0005100289.tif 000011
【図１１】
0005100289.tif 000012
【図１２】
0005100289.tif 000013
【図１３】
0005100289.tif 000014
【図１４】
0005100289.tif 000015
【図１５】
0005100289.tif 000016
【図１６】
0005100289.tif 000017
【図１７】
0005100289.tif 000018
【図１８】
0005100289.tif 000019
【図１９】
0005100289.tif 000020
【図２０】
0005100289.tif 000021